(57)【要約】【課題】系統と独立に、並列接続された複数の分散型電源から負荷に電力を供給する際、出力線に挿入されるトランスを小型化しつつ、複数の分散型電源の負担を平準化する。【解決手段】交流電力を単相２線で出力する第１電源装置１０と、交流電力を単相２線で出力する第２電源装置２０と、第１コイルと第２コイルの両方が単相３線式のトランスＴ１と、単相３線式の第１スイッチと、単相３線式の第２スイッチと、を備える。第１コイルの第１端子、中点端子、第２端子は、第１スイッチの入力側の第１端子、第２端子、第３端子にそれぞれ接続され、第２コイルの第１端子、中点端子、第２端子は、第２スイッチの入力側の第１端子、第２端子、第３端子にそれぞれ接続される。第１スイッチの出力側の第１端子、第２端子、第３端子と、第２スイッチの出力側の第１端子、第２端子、第３端子がそれぞれ接続される。【選択図】図１
2017184607.tif 000002
【特許請求の範囲】
【請求項１】
交流電力を単相２線で出力する第１電源装置と、
交流電力を単相２線で出力する第２電源装置と、
第１コイルと第２コイルの両方が単相３線式のトランスと、
単相３線式の第１スイッチと、
単相３線式の第２スイッチと、を備え、
前記第１電源装置の前記単相２線の一方の配線は、前記第１コイルの第１端子と、前記第１スイッチの入力側の第１端子に接続され、
前記第１電源装置の前記単相２線の他方の配線は、前記第１コイルの第２端子と、前記第１スイッチの入力側の第３端子に接続され、
前記第２電源装置の前記単相２線の一方の配線は、前記第２コイルの第１端子と、前記第２スイッチの入力側の第１端子に接続され、
前記第２電源装置の前記単相２線の他方の配線は、前記第２コイルの第２端子と、前記第２スイッチの入力側の第３端子に接続され、
前記第１コイルの第１端子、中点端子、第２端子は、前記第１スイッチの入力側の第１端子、第２端子、第３端子にそれぞれ接続され、
前記第２コイルの第１端子、中点端子、第２端子は、前記第２スイッチの入力側の第１端子、第２端子、第３端子にそれぞれ接続され、
前記第１スイッチの出力側の第１端子、第２端子、第３端子と、前記第２スイッチの出力側の第１端子、第２端子、第３端子がそれぞれ接続され、前記第１電源装置から出力された交流電力と前記第２電源装置から出力された交流電力が合成される、
ことを特徴とする配電システム。
【請求項２】
前記第１スイッチと前記第２スイッチは、一方がオン状態のとき他方がオフ状態であることを特徴とする請求項１に記載の配電システム。
【請求項３】
前記第１電源装置は、
第１蓄電部と、
前記第１蓄電部から供給される直流電力を、所定の電圧または電流の交流電力に変換して出力する第１電力変換部と、を有し、
前記第２電源装置は、
第２蓄電部と、
前記第２蓄電部から供給される直流電力を、所定の電圧または電流の交流電力に変換して出力する第２電力変換部と、を有し、
前記第１スイッチがオフ状態で前記第２スイッチがオン状態のとき、前記第１電力変換部は、前記第１蓄電部から供給される直流電力を、所定の電圧の交流電力に変換して出力し、前記第２電力変換部は、前記第２蓄電部から供給される直流電力を、負荷電流にもとづき決定した電流の交流電力に変換して出力し、
前記第１スイッチがオン状態で前記第２スイッチがオフ状態のとき、前記第２電力変換部は、前記第２蓄電部から供給される直流電力を、所定の電圧の交流電力に変換して出力し、前記第１電力変換部は、前記第１蓄電部から供給される直流電力を、負荷電流にもとづき決定した電流の交流電力に変換して出力する、
ことを特徴とする請求項２に記載の配電システム。
【請求項４】
前記第１電源装置は、
前記第１蓄電部の残容量を推定する第１制御部をさらに有し、
前記第２電源装置は、
前記第２蓄電部の残容量を推定する第２制御部をさらに有し、
前記第１制御部と前記第２制御部は通信線で接続され、
前記第２蓄電部の残容量が前記第１蓄電部の残容量より所定値以上少ない場合、前記第１電力変換部は、前記第１蓄電部から供給される直流電力を、所定の電圧の交流電力に変換して出力し、前記第２電力変換部は、前記第２蓄電部から供給される直流電力を、負荷電流にもとづき決定した電流の交流電力に変換して出力し、
前記第１蓄電部の残容量が前記第２蓄電部の残容量より所定値以上少ない場合、前記第２電力変換部は、前記第２蓄電部から供給される直流電力を、所定の電圧の交流電力に変換して出力し、前記第１電力変換部は、前記第１蓄電部から供給される直流電力を、負荷電流にもとづき決定した電流の交流電力に変換して出力する、
ことを特徴とする請求項３に記載の配電システム。
【請求項５】
ｎ（ｎは２以上の整数）個の電力変換システムが、負荷に対して並列接続された配電システムであって、
前記電力変換システムは、
交流電力を単相２線で出力する第１電源装置と、
交流電力を単相２線で出力する第２電源装置と、
第１コイルと第２コイルの両方が単相３線式のトランスと、
単相３線式の第１スイッチと、
単相３線式の第２スイッチと、を備え、
前記第１電源装置の前記単相２線の一方の配線は、前記第１コイルの第１端子と、前記第１スイッチの入力側の第１端子に接続され、
前記第１電源装置の前記単相２線の他方の配線は、前記第１コイルの第２端子と、前記第１スイッチの入力側の第３端子に接続され、
前記第２電源装置の前記単相２線の一方の配線は、前記第２コイルの第１端子と、前記第２スイッチの入力側の第１端子に接続され、
前記第２電源装置の前記単相２線の他方の配線は、前記第２コイルの第２端子と、前記第２スイッチの入力側の第３端子に接続され、
前記第１コイルの第１端子、中点端子、第２端子は、前記第１スイッチの入力側の第１端子、第２端子、第３端子にそれぞれ接続され、
前記第２コイルの第１端子、中点端子、第２端子は、前記第２スイッチの入力側の第１端子、第２端子、第３端子にそれぞれ接続され、
前記第１スイッチの出力側の第１端子、第２端子、第３端子と、前記第２スイッチの出力側の第１端子、第２端子、第３端子がそれぞれ接続され、前記第１電源装置から出力された交流電力と前記第２電源装置から出力された交流電力が合成される、
ことを特徴とする配電システム。
【請求項６】
前記第１電源装置は、
第１蓄電部と、
前記第１蓄電部から供給される直流電力を、所定の電圧または電流の交流電力に変換して出力する第１電力変換部と、を有し、
前記第２電源装置は、
第２蓄電部と、
前記第２蓄電部から供給される直流電力を、所定の電圧または電流の交流電力に変換して出力する第２電力変換部と、を有し、
前記ｎ個の電力変換システムの前記第１スイッチ及び前記第２スイッチの内、１つがオフ状態に制御され、残りがオン状態に制御され、
前記ｎ個の電力変換システムの前記第１電力変換部及び前記第２電力変換部の内、前記オフ状態に制御されたスイッチに対応する１つの電力変換部が、対応する蓄電部から供給される直流電力を、所定の電圧の交流電力に変換して出力し、残りの電力変換部が、対応する蓄電部から供給される直流電力を、負荷電流にもとづき決定した電流の交流電力に変換して出力する、
ことを特徴とする請求項５に記載の配電システム。
【請求項７】
第１コイルと第２コイルの両方が単相３線式のトランスと、
単相３線式の第１スイッチと、
単相３線式の第２スイッチと、を備え、
交流電力を単相２線で出力する第１電源装置の前記単相２線の一方の配線は、前記第１コイルの第１端子と、前記第１スイッチの入力側の第１端子に接続され、
前記第１電源装置の前記単相２線の他方の配線は、前記第１コイルの第２端子と、前記第１スイッチの入力側の第３端子に接続され、
交流電力を単相２線で出力する第２電源装置の前記単相２線の一方の配線は、前記第２コイルの第１端子と、前記第２スイッチの入力側の第１端子に接続され、
前記第２電源装置の前記単相２線の他方の配線は、前記第２コイルの第２端子と、前記第２スイッチの入力側の第３端子に接続され、
前記第１コイルの第１端子、中点端子、第２端子は、前記第１スイッチの入力側の第１端子、第２端子、第３端子にそれぞれ接続され、
前記第２コイルの第１端子、中点端子、第２端子は、前記第２スイッチの入力側の第１端子、第２端子、第３端子にそれぞれ接続され、
前記第１スイッチの出力側の第１端子、第２端子、第３端子と、前記第２スイッチの出力側の第１端子、第２端子、第３端子がそれぞれ接続され、前記第１電源装置から出力された交流電力と前記第２電源装置から出力された交流電力が合成される、
ことを特徴とする電力合成回路。
【発明の詳細な説明】
【技術分野】
【０００１】
本発明は、並列接続された複数の蓄電システムから出力される交流電力を合成して出力する配電システム、及び電力合成回路に関する。
【背景技術】
【０００２】
近年、蓄電池とパワーコンディショナを含む蓄電システムを、複数並列に設置する設置方法が普及してきている（例えば、特許文献１参照）。複数の蓄電システムを並列に設置したシステムでは一般的に、系統連系時は各々が独立に負荷に交流電力を供給する。一方、系統の停電により自立運転する際は、各々の交流電力を合成させて負荷に供給する。
【０００３】
自立運転時に使用される自立出力線には、絶縁や、単相２線から単相３線に変換することを目的にトランスが挿入されることが多い。上述のように自立運転時は、複数のパワーコンディショナから出力される交流電力が合成される。この場合、上記トランスを、複数のパワーコンディショナの単相２線を合流した後の配線に挿入することが考えられる。しかしながら合流後の配線は電力が大きくなるため、大きな定格容量のトランスを使用する必要があり、トランスが大型化しコストも高くなる。
【０００４】
そこで、メインのパワーコンディショナの自立出力線に上記トランスを挿入し、単相３線に変換された後の配線に、サブのパワーコンディショナが単相２線の交流電力を重畳することが考えられる。自立運転時は系統電圧が存在しないため、メインのパワーコンディショナは規定の交流電圧を生成する必要がある。サブのパワーコンディショナも、メインのパワーコンディショナと同期して交流電圧を生成する連携形態もあるが、サブのパワーコンディショナは電圧を規定せず、負荷電流を並列数で按分した電流を出力する連携形態もある。
【０００５】
一般に、後者の連携形態ではメインのパワーコンディショナの方が、サブのパワーコンディショナより消費電力が大きくなる。その場合、メインのパワーコンディショナに接続された蓄電池の方が、サブのパワーコンディショナに接続される蓄電池より容量の減りが早くなる。
【先行技術文献】
【特許文献】
【０００６】
【特許文献１】特開２０１３−１２１２０５号公報
【発明の概要】
【発明が解決しようとする課題】
【０００７】
しかしながら、メインのパワーコンディショナの自立出力線に上記トランスを挿入し、単相３線に変換された後の配線に、サブのパワーコンディショナが単相２線の交流電力を重畳する方式では、メインとサブを交代させることができない。従って蓄電池の容量が不揃いとなる。
【０００８】
本発明はこうした状況に鑑みなされたものであり、その目的は、系統と独立に、並列接続された複数の分散型電源から負荷に電力を供給する際、出力線に挿入されるトランスを小型化しつつ、複数の分散型電源の負担を平準化することができる配電システム及び電力合成回路を提供することにある。
【課題を解決するための手段】
【０００９】
上記課題を解決するために、本発明のある態様の配電システムは、交流電力を単相２線で出力する第１電源装置と、交流電力を単相２線で出力する第２電源装置と、第１コイルと第２コイルの両方が単相３線式のトランスと、単相３線式の第１スイッチと、単相３線式の第２スイッチと、を備える。前記第１電源装置の前記単相２線の一方の配線は、前記第１コイルの第１端子と、前記第１スイッチの入力側の第１端子に接続され、前記第１電源装置の前記単相２線の他方の配線は、前記第１コイルの第２端子と、前記第１スイッチの入力側の第３端子に接続され、前記第２電源装置の前記単相２線の一方の配線は、前記第２コイルの第１端子と、前記第２スイッチの入力側の第１端子に接続され、前記第２電源装置の前記単相２線の他方の配線は、前記第２コイルの第２端子と、前記第２スイッチの入力側の第３端子に接続され、前記第１コイルの第１端子、中点端子、第２端子は、前記第１スイッチの入力側の第１端子、第２端子、第３端子にそれぞれ接続され、前記第２コイルの第１端子、中点端子、第２端子は、前記第２スイッチの入力側の第１端子、第２端子、第３端子にそれぞれ接続され、前記第１スイッチの出力側の第１端子、第２端子、第３端子と、前記第２スイッチの出力側の第１端子、第２端子、第３端子がそれぞれ接続され、前記第１電源装置から出力された交流電力と前記第２電源装置から出力された交流電力が合成される。
【発明の効果】
【００１０】
本発明によれば、系統と独立に、並列接続された複数の分散型電源から負荷に電力を供給する際、出力線に挿入されるトランスを小型化しつつ、複数の分散型電源の負担を平準化することができる。
【図面の簡単な説明】
【００１１】
【図１】本発明の実施の形態１に係る配電システムの構成を示す図である。
【図２】図１の第１電源装置および第２電源装置の構成例を示す図である。
【図３】実施の形態１に係る、自立出力時の第１電源装置及び第２電源装置の動作を説明するための図である。
【図４】図１の第１電源装置および第２電源装置の別の構成例を示す図である。
【図５】比較例１に係る配電システムの構成を示す図である。
【図６】本発明の実施の形態２に係る配電システムの構成を示す図である。
【図７】実施の形態２に係る、自立出力時の第１電源装置、第２電源装置、第３電源装置及び第４電源装置の動作を説明するための図である。
【図８】比較例２に係る配電システムの構成を示す図である。
【図９】比較例３に係る配電システムの構成を示す図である。
【発明を実施するための形態】
【００１２】
（実施の形態１）
図１は、本発明の実施の形態１に係る配電システム１の構成を示す図である。配電システム１は、第１電源装置１０、第２電源装置２０、トランスＴ１、第１リレーＲＹ１、第２リレーＲＹ２及び第１電流センサＣＴ１を備える。第１電源装置１０および第２電源装置２０はそれぞれ、交流電力を単相２線で出力する。
【００１３】
図２は、図１の第１電源装置１０および第２電源装置２０の構成例を示す図である。第１電源装置１０は第１蓄電部１１、第１電力変換部１２、第１制御部１３、第２電流センサＣＴ２、及び第３リレーＲＹ３を含む。第２電源装置２０は、第２蓄電部２１、第２電力変換部２２、第２制御部２３、第３電流センサＣＴ３、及び第４リレーＲＹ４を含む。
【００１４】
第１蓄電部１１は蓄電池および監視部を含む。当該蓄電池は、直列または直並列接続された複数の蓄電池セルにより構成される。蓄電池セルにはリチウムイオン蓄電池、ニッケル水素蓄電池、鉛蓄電池などを使用できる。なお蓄電池の代わりに、電気二重層キャパシタ、リチウムイオンキャパシタ等のキャパシタを使用してもよい。監視部は当該複数の蓄電池セルの状態（例えば、電圧、電流、温度）を監視し、当該複数の蓄電池セルの監視データを通信線を介して第１制御部１３に送信する。
【００１５】
第１電力変換部１２は、第１蓄電部１１から放電される直流電力を、所定の電圧または電流の交流電力に変換し、当該交流電力を交流配線に出力する。また第１電力変換部１２ａは、系統（不図示）から交流配線を介して入力される交流電力を直流電力に変換し、当該直流電力を第１蓄電部１１に充電する。具体的には第１電力変換部１２は、双方向インバータ単体、又は双方向ＤＣ−ＤＣコンバータと双方向インバータの組み合わせを含む。
【００１６】
双方向ＤＣ−ＤＣコンバータ及び双方向インバータはそれぞれ、例えば、４つのスイッチング素子をブリッジ接続したブリッジ回路を含む。当該スイッチング素子のデューティ比を制御することにより、双方向ＤＣ−ＤＣコンバータ及び双方向インバータのそれぞれの入出力を調整することができる。スイッチング素子には例えば、ＩＧＢＴ（Insulated Gate Bipolar Transistor）又はＭＯＳＦＥＴ（Metal-Oxide-Semiconductor Field-Effect Transistor)を使用することができる。
【００１７】
双方向ＤＣ−ＤＣコンバータ及び／又は双方向インバータは、第１制御部１３から指定される電流指令値にもとづき第１蓄電部１１を定電流（ＣＣ）充電／放電する。また、双方向ＤＣ−ＤＣコンバータ及び／又は双方向インバータは、第１制御部１３から指定される電圧指令値にもとづき第１蓄電部１１を定電圧（ＣＶ）充電／放電する。
【００１８】
第２電流センサＣＴ２は、第１電力変換部１２の交流配線に設置され、第１電力変換部１２から流れる電流、または第１電力変換部１２に流れる電流を検出し、第１制御部１３に出力する。また交流配線の電圧が第１制御部１３に出力される。第３リレーＲＹ３は、第１電力変換部１２の交流端子を、系統連系配線に接続するか自立出力配線に出力するかを切り替えるＣ接点スイッチである。なおリレーの代わりに半導体スイッチを使用してもよい。
【００１９】
第１制御部１３は第１電力変換部１２を制御する。第１制御部１３の構成は、ハードウェア資源とソフトウェア資源の協働、またはハードウェア資源のみにより実現できる。ハードウェア資源としてアナログ素子、マイクロコンピュータ、ＤＳＰ、ＲＯＭ、ＲＡＭ、ＦＰＧＡ、その他のＬＳＩを利用できる。ソフトウェア資源としてファームウェア等のプログラムを利用できる。
【００２０】
第１制御部１３は、第１蓄電部１１を定電流（ＣＣ）充電／放電、または定電圧（ＣＶ）充電／放電するための指令値をもとに、双方向ＤＣ−ＤＣコンバータ及び／又は双方向インバータに含まれるスイッチング素子を駆動するための駆動信号（例えば、ＰＷＭ信号）を生成し、双方向ＤＣ−ＤＣコンバータ及び／又は双方向インバータを駆動する。
【００２１】
また第１制御部１３は、第１蓄電部１１の監視部から通知される蓄電池セルの電圧および電流をもとに、蓄電池セルのＳＯＣ（State Of Charge）を推定する。ＳＯＣは例えば、ＯＣＶ（Open Circuit Voltage）法または電流積算法により推定できる。これらの推定方法は一般的な技術であるため、その詳細な説明は省略する。
【００２２】
また第１制御部１３は通常運用時、第３リレーＲＹ３を系統連系配線側に接続する。系統の停電時、第３リレーＲＹ３を自立出力配線側に接続する。また第１制御部１３は、第２電源装置２０の第２制御部２３と通信線で接続され、第２制御部２３と通信を行う。例えば第１制御部１３と第２制御部２３間はＲＳ−４８５規格に対応したケーブルで接続され、当該規格に準拠した通信方式に従いシリアル通信する。
【００２３】
第２電源装置２０の第２蓄電部２１、第２電力変換部２２、第２制御部２３、第３電流センサＣＴ３、及び第４リレーＲＹ４の構成および動作は、第１電源装置１０の第１蓄電部１１、第１電力変換部１２、第１制御部１３、第２電流センサＣＴ２、及び第３リレーＲＹ３の構成および動作と同様であるため説明を省略する。
【００２４】
図１に戻る。図１は第１電源装置１０及び第２電源装置２０の自立出力時に使用される回路構成を示している。自立出力時は、第１電源装置１０から出力される交流電力と第２電源装置２０から出力される交流電力を合成して負荷２に供給する。なお系統連系時は、系統と負荷の間の分電盤に、第１電源装置１０の系統連系配線と、第２電源装置２０の系統連系配線がそれぞれ別々に接続され、第１電源装置１０及び第２電源装置２０はそれぞれ独立に、交流電力を分電盤を介して負荷に出力する。
【００２５】
図１において、第１電源装置１０及び第２電源装置２０と負荷２の間に、トランスＴ１、第１リレーＲＹ１、及び第２リレーＲＹ２を含む電力合成回路が接続される。なお負荷２は、系統からも電力供給を受けることが可能な一般負荷であってもよいし、停電時に優先的に自立出力電力を受ける特定負荷であってもよい。
【００２６】
トランスＴ１は、一対をなす第１コイルと第２コイルの両方が単相３線式のトランスである。第１コイルと第２コイルの巻数は同数であり、昇圧も降圧もしない。第１リレーＲＹ１及び第２リレーＲＹ２は単相３線式のスイッチである。第１電源装置１０の単相２線の第１自立出力配線（Ｕ相）は、トランスＴ１の第１コイルの第１端子と、第１リレーＲＹ１の入力側の第１端子（Ｕ相）にそれぞれ接続される。第１電源装置１０の単相２線の第２自立出力配線（Ｖ相）は、トランスＴ１の第１コイルの第２端子と、第１リレーＲＹ１の入力側の第３端子（Ｖ相）にそれぞれ接続される。
【００２７】
第２電源装置２０の単相２線の第１自立出力配線（Ｕ相）は、トランスＴ１の第２コイルの第１端子と、第２リレーＲＹ２の入力側の第１端子（Ｕ相）にそれぞれ接続される。第２電源装置２０の単相２線の第２自立出力配線（Ｖ相）は、トランスＴ１の第２コイルの第２端子と、第２リレーＲＹ２の入力側の第３端子（Ｖ相）にそれぞれ接続される。
【００２８】
トランスＴ１の第１コイルの第１端子は、第１リレーＲＹ１の入力側の第１端子（Ｕ相）に接続され、トランスＴ１の第１コイルの第２端子は、第１リレーＲＹ１の入力側の第３端子（Ｖ相）に接続され、トランスＴ１の第１コイルの中点端子は、第１リレーＲＹ１の入力側の第２端子（Ｎ相）に接続される。
【００２９】
トランスＴ１の第２コイルの第１端子は、第２リレーＲＹ２の入力側の第１端子（Ｕ相）に接続され、トランスＴ１の第２コイルの第２端子は、第２リレーＲＹ２の入力側の第３端子（Ｖ相）に接続され、トランスＴ１の第２コイルの中点端子は、第２リレーＲＹ２の入力側の第２端子（Ｎ相）に接続される。
【００３０】
第１リレーＲＹ１の出力側の第１端子（Ｕ相）と第２リレーＲＹ２の出力側の第１端子（Ｕ相）が接続され、第１リレーＲＹ１の出力側の第２端子（Ｎ相）と第２リレーＲＹ２の出力側の第２端子（Ｎ相）が接続され、第１リレーＲＹ１の出力側の第３端子（Ｖ相）と第２リレーＲＹ２の出力側の第３端子（Ｖ相）が接続される。第１リレーＲＹ１の出力側の第２端子（Ｎ相）と第２リレーＲＹ２の出力側の第２端子（Ｎ相）との接続点をアースに接続する。合流後の単相３線の配線に第１電流センサＣＴ１が設置される。
【００３１】
この回路構成では第１電源装置１０及び第２電源装置２０から単相２線で出力された交流電力が、単相３線で供給される交流電力に変換される。これによりユーザは、第１電源装置１０または第２電源装置２０で生成される電圧（例えば、２００Ｖ）と、その半分の電圧（例えば、１００Ｖ）の両方を利用することができる。
【００３２】
図３は、実施の形態１に係る、自立出力時の第１電源装置１０及び第２電源装置２０の動作を説明するための図である。自立出力時において、第１電源装置１０及び第２電源装置２０の一方がメイン機となり、他方がサブ機となる。第１電源装置１０がメイン機、第２電源装置２０がサブ機の場合（状態１）、第１制御部１３または第２制御部２３は、第１リレーＲＹ１を開状態、第２リレーＲＹ２を閉状態に制御する。
【００３３】
第１制御部１３は、第１蓄電部１１から供給される直流電力を、所定の電圧の交流電力に変換して自立出力線に出力する。具体的には第１制御部１３は、規定の周波数および位相の電圧目標値と、第１電力変換部１２の交流配線の検出電圧を一致させるための電圧指令値を生成する。第１制御部１３は当該電圧指令値をもとに駆動信号を生成し、第１電力変換部１２を駆動する（電圧制御）。
【００３４】
第２制御部２３は、第２蓄電部２１から供給される直流電力を、第１電流センサＣＴ１により検出された電流の半分の電流の交流電力に変換して、自立出力線に出力する。具体的には第２制御部２３は、負荷２に流れている電流の半分の電流を電流目標値とし、当該電流目標値と、第３電流センサＣＴ３により検出される電流を一致させるための電流指令値を生成する。第２制御部２３は当該電流指令値をもとに駆動信号を生成し、第２電力変換部２２を駆動する（電流制御）。
【００３５】
この状態１では第１電源装置１０から出力される交流電力がトランスＴ１を通過し、当該通過後の交流電力に、第２電源装置２０から出力された交流電力が重畳する。第１電源装置１０からは、負荷２に流れる電流が半分に見える。
【００３６】
第１電源装置１０がサブ機、第２電源装置２０がメイン機の場合（状態２）、第１制御部１３または第２制御部２３は、第１リレーＲＹ１を閉状態、第２リレーＲＹ２を開状態に制御する。
【００３７】
第１制御部１３は、第１蓄電部１１から供給される直流電力を、第１電流センサＣＴ１により検出された電流の半分の電流の交流電力に変換して、自立出力線に出力する（電流制御）。第２制御部２３は、第２蓄電部２１から供給される直流電力を、所定の電圧の交流電力に変換して自立出力線に出力する（電圧制御）。
【００３８】
この状態２では第２電源装置２０から出力される交流電力がトランスＴ１を通過し、当該通過後の交流電力に、第１電源装置１０から出力された交流電力が重畳する。第２電源装置２０からは、負荷２に流れる電流が半分に見える。
【００３９】
以上に説明した電圧制御方式と電流制御方式を併用する連携運転では、電圧制御方式を採用するメイン機の蓄電池のほうが、電流制御方式を採用するサブ機の蓄電池より減りが早くなる。メイン機は、規定の周波数および位相の電圧を維持する役割を担うため負担が大きくなる。具体的には、電力変換部におけるスイッチング損失が大きくなる。
【００４０】
自立出力時に負荷２への電力供給をバックアップする連携運転では、連携している複数の蓄電池の容量をほぼ同時に使い果たすことが好ましい。一方の蓄電池を先に使い果たしてしまうと、残った蓄電池への負担が大きくなり電池寿命を縮める要因となる。そこで本実施の形態では、メイン機とサブ機を切り替える仕組みを導入する。
【００４１】
例えば、メイン機とサブ機を定期的（例えば、１０分おき）に切り替える。また第１蓄電部１１のＳＯＣと第２蓄電部２１のＳＯＣの差が所定値（例えば、５％）以上に乖離したとき、メイン機とサブ機を切り替えてもよい。例えば、第２制御部２３は第２蓄電部２１のＳＯＣを通信線を介して第１制御部１３に定期的に送信する。第１制御部１３は第１蓄電部１１のＳＯＣと、第２蓄電部２１のＳＯＣの差が所定値以上に乖離したか否か判定する。所定値以上乖離している場合、ＳＯＣが少ない方の電源装置をサブ機に設定し、ＳＯＣが多い方の電源装置をメイン機に設定する。なお蓄電部のＳＯＣの差は電力変換部の制御方式の違い以外の要因でも発生する。
【００４２】
図４は、図１の第１電源装置１０および第２電源装置２０の別の構成例を示す図である。図４に示す構成は、図２に示した構成に第１太陽電池３１及び第２太陽電池３２が追加された構成である。第１太陽電池３１は発電した直流電力を第１電力変換部１２に出力する。
【００４３】
第１電力変換部１２は太陽電池用のＤＣ−ＤＣコンバータ（例えば、昇圧チョッパ）を含む。当該ＤＣ−ＤＣコンバータは、第１太陽電池３１の発電電力が最大電力点（最適動作点）となるようＭＰＰＴ(Maximum Power Point Tracking) 制御を行う。具体的には、山登り法に従い動作点電圧を所定のステップ幅で変化させて最大電力点を探索し、第１太陽電池３１の出力電力が最大電力点を維持するよう制御する。当該ＤＣ−ＤＣコンバータは、ＭＰＰＴ制御後の直流電力を、上記双方向ＤＣ−ＤＣコンバータと上記双方向インバータの間の直流バスに出力する。第２太陽電池３２及び第２電力変換部２２も同様である。
【００４４】
太陽電池は、日射量等の環境要因により発電量が増減する。従って第１太陽電池３１が設置された場所の環境と、第２太陽電池３２が設置された場所の環境の違いから、第１太陽電池３１と第２太陽電池３２の発電量に違いが生じる場合がある。それらの発電量の違いにより、第１蓄電部１１のＳＯＣと第２蓄電部２１のＳＯＣに差が発生する。これに対して、上述のＳＯＣの差にもとづきメイン機とサブ機を切り替える手法を用いることにより、第１太陽電池３１と第２太陽電池３２の発電量の差を吸収することができる。
【００４５】
図５は、比較例１に係る配電システム１の構成を示す図である。図５に示す回路構成は、図１に示した回路構成から第１リレーＲＹ１及び第２リレーＲＹ２を取り除いた構成である。この場合、トランスＴ１ｃは、単相２線の交流電力を単相３線の交流電力に変換するトランスとなる。この構成では第１電源装置１０をメイン機、第２電源装置２０をサブ機として固定して運転する必要がある。単相２線の交流電圧を単相３線の交流電圧に、精度よく分圧するには、電圧を生成している第１電源装置１０の出力がトランスＴ１ｃを通る必要がある。従って第２電源装置２０をメイン機とすることはできず、第１蓄電部１１のＳＯＣと第２蓄電部２１のＳＯＣのバランスをとることができない。
【００４６】
以上説明したように実施の形態１によれば、並列接続された第１電源装置１０と第２電源装置２０から負荷２に電力を供給する際、自立出力線に挿入されるトランスＴ１を小型化しつつ、第１蓄電部１１と第２蓄電部２１のＳＯＣを平準化することができる。よって、蓄電池の寿命を延ばすことができる。またトランスＴ１の容量を小さくできるため、回路面積およびコストを低減することができる。
【００４７】
（実施の形態２）
図６は、本発明の実施の形態２に係る配電システム１の構成を示す図である。実施の形態２では、図１に示した第１電源装置１０、第２電源装置２０、トランスＴ１、第１リレーＲＹ１、及び第２リレーＲＹ２を総称して電力変換システムと呼ぶ。実施の形態２に係る配電システム１は、２つの電力変換システムを備える。２つの電力変換システムは、負荷２に対して並列接続される。なお図６では、図面を簡略化するために第１電流センサＣＴ１を描いていないが、実施の形態２においても２つの電力変換システムの合流後の単相３線の配線に第１電流センサＣＴ１が設置される。
【００４８】
図７は、実施の形態２に係る、自立出力時の第１電源装置１０ａ、第２電源装置２０ａ、第３電源装置１０ｂ及び第４電源装置２０ｂの動作を説明するための図である。自立出力時において、第１電源装置１０ａ、第２電源装置２０ａ、第３電源装置１０ｂ、及び第４電源装置２０ｂの１つがメイン機となり、残りがサブ機となる。
【００４９】
第１電源装置１０ａがメイン機、第２電源装置２０ａ、第３電源装置１０ｂ及び第４電源装置２０ｂがサブ機の場合（状態１）、第１リレーＲＹ１ａが開状態、第２リレーＲＹ２ａ、第３リレーＲＹ１ｂ及び第４リレーＲＹ２ｂが閉状態に制御される。第１制御部は、第１蓄電部から供給される直流電力を、所定の電圧の交流電力に変換して自立出力線に出力する（電圧制御）。第２制御部、第３制御部及び第４制御部は、第２蓄電部、第３蓄電部及び第４蓄電部からそれぞれ供給される直流電力を、第１電流センサＣＴ１により検出された電流の１／４の電流の交流電力に変換して、自立出力線に出力する（電流制御）。状態１では第１電源装置１０ａから出力される交流電力が第１トランスＴ１ａを通過し、当該通過後の交流電力に、第２電源装置２０ａ、第３電源装置１０ｂ及び第４電源装置２０ｂから出力された交流電力が重畳する。第１電源装置１０ａからは、負荷２に流れる電流が１／４に見える。
【００５０】
第２電源装置２０ａがメイン機、第１電源装置１０ａ、第３電源装置１０ｂ及び第４電源装置２０ｂがサブ機の場合（状態２）、第２リレーＲＹ２ａが開状態、第１リレーＲＹ１ａ、第３リレーＲＹ１ｂ及び第４リレーＲＹ２ｂが閉状態に制御される。第２制御部は、第２蓄電部から供給される直流電力を、所定の電圧の交流電力に変換して自立出力線に出力する（電圧制御）。第１制御部、第３制御部及び第４制御部は、第１蓄電部、第３蓄電部及び第４蓄電部からそれぞれ供給される直流電力を、第１電流センサＣＴ１により検出された電流の１／４の電流の交流電力に変換して、自立出力線に出力する（電流制御）。状態２では第２電源装置２０ａから出力される交流電力が第１トランスＴ１ａを通過し、当該通過後の交流電力に、第１電源装置１０ａ、第３電源装置１０ｂ及び第４電源装置２０ｂから出力された交流電力が重畳する。第２電源装置２０ａからは、負荷２に流れる電流が１／４に見える。
【００５１】
第３電源装置１０ｂがメイン機、第１電源装置１０ａ、第２電源装置２０ａ及び第４電源装置２０ｂがサブ機の場合（状態３）、第３リレーＲＹ１ｂが開状態、第１リレーＲＹ１ａ、第２リレーＲＹ２ａ及び第４リレーＲＹ２ｂが閉状態に制御される。第３制御部は、第３蓄電部から供給される直流電力を、所定の電圧の交流電力に変換して自立出力線に出力する（電圧制御）。第１制御部、第２制御部及び第４制御部は、第１蓄電部、第２蓄電部及び第４蓄電部からそれぞれ供給される直流電力を、第１電流センサＣＴ１により検出された電流の１／４の電流の交流電力に変換して、自立出力線に出力する（電流制御）。状態３では第３電源装置１０ｂから出力される交流電力が第２トランスＴ１ｂを通過し、当該通過後の交流電力に、第１電源装置１０ａ、第２電源装置２０ａ及び第４電源装置２０ｂから出力された交流電力が重畳する。第３電源装置１０ｂからは、負荷２に流れる電流が１／４に見える。
【００５２】
第４電源装置２０ｂがメイン機、第１電源装置１０ａ、第２電源装置２０ａ及び第３電源装置１０ｂがサブ機の場合（状態４）、第４リレーＲＹ２ｂが開状態、第１リレーＲＹ１ａ、第２リレーＲＹ２ａ及び第３リレーＲＹ１ｂが閉状態に制御される。第４制御部は、第４蓄電部から供給される直流電力を、所定の電圧の交流電力に変換して自立出力線に出力する（電圧制御）。第１制御部、第２制御部及び第３制御部は、第１蓄電部、第２蓄電部及び第３蓄電部からそれぞれ供給される直流電力を、第１電流センサＣＴ１により検出された電流の１／４の電流の交流電力に変換して、自立出力線に出力する（電流制御）。状態４では第４電源装置２０ｂから出力される交流電力が第２トランスＴ１ｂを通過し、当該通過後の交流電力に、第１電源装置１０ａ、第２電源装置２０ａ及び第３電源装置１０ｂから出力された交流電力が重畳する。第４電源装置２０ｂからは、負荷２に流れる電流が１／４に見える。
【００５３】
実施の形態２においても、例えば、メイン機とサブ機を定期的（例えば、１０分おき）に切り替える。またＳＯＣが最も多い蓄電部のＳＯＣと、ＳＯＣが最も少ない蓄電部のＳＯＣの差が所定値（例えば、５％）以上に乖離したとき、メイン機とサブ機を切り替えてもよい。所定値以上乖離している場合、ＳＯＣが最も多い電源装置をメイン機に設定する。
【００５４】
上記図６では、２つの電力変換システムが並列接続された配電システム１を示したが、３つ以上の電力変換システムが並列接続された配電システム１も可能である。その場合も、複数の電源装置の１つがメイン機となり、残りがサブ機となる。サブ機の電源装置は、第１電流センサＣＴ１により検出された電流を、電源装置の数で割った電流の交流電力を自立出力線に出力する。
【００５５】
図８は、比較例２に係る配電システム１の構成を示す図である。図８に示す回路構成は、図６に示した回路構成から第１リレーＲＹ１ａ、第２リレーＲＹ２ａ、第３リレーＲＹ１ｂ及び第４リレーＲＹ２ｂを取り除いた構成である。図８に示す回路構成では、第１電源装置１０ａの出力電力が第１トランスＴ１ａを通過し、第３電源装置１０ｂの出力電力が第２トランスＴ１ｂを通過する。従って、トランス２個分の電力変換ロスが発生する。
【００５６】
図９は、比較例３に係る配電システム１の構成を示す図である。図９に示す回路構成は、図８に示した回路構成から第２トランスＴ１ｂを取り除いた構成である。図９に示す回路構成では、トランスによる変換ロスが１個分になる。しかしながら、メイン機が第１電源装置１０ａに固定される。この場合、メイン機の電力消費が大きくなるため、サブ機に電力を残したままメイン機が停止する。メイン機が停止するとシステム全体も停止する。また、メイン機の蓄電部に不具合があるときサブ機が正常であっても運転継続が不可能になる。なお、サブ機の蓄電部に不具合があっても、そのサブ機だけをシステムから切り離せば運転継続が可能である。
【００５７】
これに対して実施の形態２によれば、任意の１つの電源装置をメイン機にし、残りの電源装置をサブ機に設定する。これにより、トランスによる変換ロスを１個分に抑えることができる。さらに、最も蓄電残量の多い電源装置をメイン機に設定することにより、複数の電源装置間に蓄電残量のバラツキがある場合でも、自立運転時間を最大限に延ばすことができる。
【００５８】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００５９】
図４では、第１電力変換部１２及び第２電力変換部２２に太陽電池を連携させる例を説明したが、燃料電池などの他の直流電源を連携させることも可能である。また実施の形態ではメイン機が電圧制御方式、サブ機が電流制御方式の連携運転を説明したが、実施の形態で説明した手法を、メイン機およびサブ機ともに電圧制御方式の連携運転に適用することも可能である。その場合、メイン機とサブ機の交流電圧の周波数および位相を合わせるため、メイン機からサブ機に同期信号を送信することが望ましい。
【００６０】
なお、実施の形態は、以下の項目によって特定されてもよい。
【００６１】
［項目１］
交流電力を単相２線で出力する第１電源装置（１０）と、
交流電力を単相２線で出力する第２電源装置（２０）と、
第１コイルと第２コイルの両方が単相３線式のトランス（Ｔ１）と、
単相３線式の第１スイッチ（ＲＹ１）と、
単相３線式の第２スイッチ（ＲＹ２）と、を備え、
前記第１電源装置（１０）の前記単相２線の一方の配線は、前記第１コイルの第１端子と、前記第１スイッチ（ＲＹ１）の入力側の第１端子に接続され、
前記第１電源装置（１０）の前記単相２線の他方の配線は、前記第１コイルの第２端子と、前記第１スイッチ（ＲＹ１）の入力側の第３端子に接続され、
前記第２電源装置（２０）の前記単相２線の一方の配線は、前記第２コイルの第１端子と、前記第２スイッチ（ＲＹ２）の入力側の第１端子に接続され、
前記第２電源装置（２０）の前記単相２線の他方の配線は、前記第２コイルの第２端子と、前記第２スイッチ（ＲＹ２）の入力側の第３端子に接続され、
前記第１コイルの第１端子、中点端子、第２端子は、前記第１スイッチ（ＲＹ１）の入力側の第１端子、第２端子、第３端子にそれぞれ接続され、
前記第２コイルの第１端子、中点端子、第２端子は、前記第２スイッチ（ＲＹ２）の入力側の第１端子、第２端子、第３端子にそれぞれ接続され、
前記第１スイッチ（ＲＹ１）の出力側の第１端子、第２端子、第３端子と、前記第２スイッチ（ＲＹ２）の出力側の第１端子、第２端子、第３端子がそれぞれ接続され、前記第１電源装置（１０）から出力された交流電力と前記第２電源装置（２０）から出力された交流電力が合成される、
ことを特徴とする配電システム（１）。
これによれば、トランス（Ｔ１）を小型化することができるとともに、第１電源装置（１０）と第２電源装置（２０）のいずれもが電圧制御方式で運転することが可能となる。
［項目２］
前記第１スイッチ（ＲＹ１）と前記第２スイッチ（ＲＹ２）は、一方がオン状態のとき他方がオフ状態であることを特徴とする項目１に記載の配電システム（１）。
これによれば、２種類の電力合成経路を選択的に形成することができる。
［項目３］
前記第１電源装置（１０）は、
第１蓄電部（１１）と、
前記第１蓄電部（１１）から供給される直流電力を、所定の電圧または電流の交流電力に変換して出力する第１電力変換部（１２）と、を有し、
前記第２電源装置（２０）は、
第２蓄電部（２１）と、
前記第２蓄電部（２１）から供給される直流電力を、所定の電圧または電流の交流電力に変換して出力する第２電力変換部（２２）と、を有し、
前記第１スイッチ（ＲＹ１）がオフ状態で前記第２スイッチ（ＲＹ２）がオン状態のとき、前記第１電力変換部（１２）は、前記第１蓄電部（１１）から供給される直流電力を、所定の電圧の交流電力に変換して出力し、前記第２電力変換部（２２）は、前記第２蓄電部（２１）から供給される直流電力を、負荷電流にもとづき決定した電流の交流電力に変換して出力し、
前記第１スイッチ（ＲＹ１）がオン状態で前記第２スイッチ（ＲＹ２）がオフ状態のとき、前記第２電力変換部（２２）は、前記第２蓄電部（２１）から供給される直流電力を、所定の電圧の交流電力に変換して出力し、前記第１電力変換部（１２）は、前記第１蓄電部（１１）から供給される直流電力を、負荷電流にもとづき決定した電流の交流電力に変換して出力する、
ことを特徴とする項目２に記載の配電システム（１）。
これによれば、第１電源装置（１０）と第２電源装置（２０）との間で、電圧制御方式と電流制御方式を切り替えることができる。
［項目４］
前記第１電源装置（１０）は、
前記第１蓄電部（１１）の残容量を推定する第１制御部（１３）をさらに有し、
前記第２電源装置（２０）は、
前記第２蓄電部（２１）の残容量を推定する第２制御部（２３）をさらに有し、
前記第１制御部（１３）と前記第２制御部（２３）は通信線で接続され、
前記第２蓄電部（２１）の残容量が前記第１蓄電部（１１）の残容量より所定値以上少ない場合、前記第１電力変換部（１２）は、前記第１蓄電部（１１）から供給される直流電力を、所定の電圧の交流電力に変換して出力し、前記第２電力変換部（２２）は、前記第２蓄電部（２１）から供給される直流電力を、負荷電流にもとづき決定した電流の交流電力に変換して出力し、
前記第１蓄電部（１１）の残容量が前記第２蓄電部（２１）の残容量より所定値以上少ない場合、前記第２電力変換部（２２）は、前記第２蓄電部（２１）から供給される直流電力を、所定の電圧の交流電力に変換して出力し、前記第１電力変換部（１２）は、前記第１蓄電部（１１）から供給される直流電力を、負荷電流にもとづき決定した電流の交流電力に変換して出力する、
ことを特徴とする項目３に記載の配電システム（１）。
これによれば、第１蓄電部（１１）の残容量と第２蓄電部（２１）の残容量を平準化することができる。
［項目５］
ｎ（ｎは２以上の整数）個の電力変換システムが、負荷（２）に対して並列接続された配電システム（１）であって、
前記電力変換システムは、
交流電力を単相２線で出力する第１電源装置（１０）と、
交流電力を単相２線で出力する第２電源装置（２０）と、
第１コイルと第２コイルの両方が単相３線式のトランス（Ｔ１）と、
単相３線式の第１スイッチ（ＲＹ１）と、
単相３線式の第２スイッチ（ＲＹ２）と、を備え、
前記第１電源装置（１０）の前記単相２線の一方の配線は、前記第１コイルの第１端子と、前記第１スイッチ（ＲＹ１）の入力側の第１端子に接続され、
前記第１電源装置（１０）の前記単相２線の他方の配線は、前記第１コイルの第２端子と、前記第１スイッチ（ＲＹ１）の入力側の第３端子に接続され、
前記第２電源装置（２０）の前記単相２線の一方の配線は、前記第２コイルの第１端子と、前記第２スイッチ（ＲＹ２）の入力側の第１端子に接続され、
前記第２電源装置（２０）の前記単相２線の他方の配線は、前記第２コイルの第２端子と、前記第２スイッチ（ＲＹ２）の入力側の第３端子に接続され、
前記第１コイルの第１端子、中点端子、第２端子は、前記第１スイッチ（ＲＹ１）の入力側の第１端子、第２端子、第３端子にそれぞれ接続され、
前記第２コイルの第１端子、中点端子、第２端子は、前記第２スイッチ（ＲＹ２）の入力側の第１端子、第２端子、第３端子にそれぞれ接続され、
前記第１スイッチ（ＲＹ１）の出力側の第１端子、第２端子、第３端子と、前記第２スイッチ（ＲＹ２）の出力側の第１端子、第２端子、第３端子がそれぞれ接続され、前記第１電源装置（１０）から出力された交流電力と前記第２電源装置（２０）から出力された交流電力が合成される、
ことを特徴とする配電システム（１）。
これによれば、トランス（Ｔ１）による変換ロスを最小限に抑えつつ、複数の電源装置間に残容量のバラツキがある場合でも、自立運転時間を最大限に延ばすことができる。
［項目６］
前記第１電源装置（１０）は、
第１蓄電部（１１）と、
前記第１蓄電部（１１）から供給される直流電力を、所定の電圧または電流の交流電力に変換して出力する第１電力変換部（１２）と、を有し、
前記第２電源装置（２０）は、
第２蓄電部（２１）と、
前記第２蓄電部（２１）から供給される直流電力を、所定の電圧または電流の交流電力に変換して出力する第２電力変換部（２２）と、を有し、
前記ｎ個の電力変換システムの前記第１スイッチ（ＲＹ１）及び前記第２スイッチ（ＲＹ２）の内、１つ（ＲＹ１ａ）がオフ状態に制御され、残り（ＲＹ１ｂ、ＲＹ２ａ、ＲＹ２ｂ）がオン状態に制御され、
前記ｎ個の電力変換システムの前記第１電力変換部（１２）及び前記第２電力変換部（２２）の内、前記オフ状態に制御されたスイッチ（ＲＹ１ａ）に対応する１つの電力変換部が、対応する蓄電部から供給される直流電力を、所定の電圧の交流電力に変換して出力し、残りの電力変換部が、対応する蓄電部から供給される直流電力を、負荷電流にもとづき決定した電流の交流電力に変換して出力する、
ことを特徴とする項目５に記載の配電システム（１）。
これによれば、複数の電源装置（１０ａ、１０ｂ、２０ａ、２０ｂ）の内、１つを電圧制御方式で、残りを電流制御方式で制御することができ、電圧制御方式で制御される電源装置（１０ａ、１０ｂ、２０ａ、２０ｂ）を切り替えることができる。
［項目７］
第１コイルと第２コイルの両方が単相３線式のトランス（Ｔ１）と、
単相３線式の第１スイッチ（ＲＹ１）と、
単相３線式の第２スイッチ（ＲＹ２）と、を備え、
交流電力を単相２線で出力する第１電源装置（１０）の前記単相２線の一方の配線は、前記第１コイルの第１端子と、前記第１スイッチ（ＲＹ１）の入力側の第１端子に接続され、
前記第１電源装置（１０）の前記単相２線の他方の配線は、前記第１コイルの第２端子と、前記第１スイッチ（ＲＹ１）の入力側の第３端子に接続され、
交流電力を単相２線で出力する第２電源装置（２０）の前記単相２線の一方の配線は、前記第２コイルの第１端子と、前記第２スイッチ（ＲＹ２）の入力側の第１端子に接続され、
前記第２電源装置（２０）の前記単相２線の他方の配線は、前記第２コイルの第２端子と、前記第２スイッチ（ＲＹ２）の入力側の第３端子に接続され、
前記第１コイルの第１端子、中点端子、第２端子は、前記第１スイッチ（ＲＹ１）の入力側の第１端子、第２端子、第３端子にそれぞれ接続され、
前記第２コイルの第１端子、中点端子、第２端子は、前記第２スイッチ（ＲＹ２）の入力側の第１端子、第２端子、第３端子にそれぞれ接続され、
前記第１スイッチ（ＲＹ１）の出力側の第１端子、第２端子、第３端子と、前記第２スイッチ（ＲＹ２）の出力側の第１端子、第２端子、第３端子がそれぞれ接続され、前記第１電源装置（１０）から出力された交流電力と前記第２電源装置（２０）から出力された交流電力が合成される、
ことを特徴とする電力合成回路。
これによれば、トランス（Ｔ１）を小型化することができるとともに、第１電源装置（１０）と第２電源装置（２０）のいずれもが電圧制御方式で運転することが可能となる。
【符号の説明】
【００６２】
１  配電システム、  ２  負荷、  １０  第１電源装置、  １１  第１蓄電部、  １２  第１電力変換部、  １３  第１制御部、  ２０  第２電源装置、  ２１  第２蓄電部、  ２２  第２電力変換部、  ２３  第２制御部、  ３１  第１太陽電池、  ３２  第２太陽電池、  Ｔ１  トランス、  ＲＹ１  第１リレー、  ＲＹ２  第２リレー、  ＲＹ３  第３リレー、  ＲＹ４  第４リレー、  ＣＴ１  第１電流センサ、  ＣＴ２  第２電流センサ、  ＣＴ３  第３電流センサ。
【図１】
2017184607.tif 000003
【図２】
2017184607.tif 000004
【図３】
2017184607.tif 000005
【図４】
2017184607.tif 000006
【図５】
2017184607.tif 000007
【図６】
2017184607.tif 000008
【図７】
2017184607.tif 000009
【図８】
2017184607.tif 000010
【図９】
2017184607.tif 000011